(57)【要約】  温度センサにより正確な室温検知を行うとともに、温度センサに容易に触れることのない空気調和機の室内機を提供する。本発明に係る空気調和機の室内機は、背面が壁に取り付けられ吸込口および吹出口が形成された筐体と、筐体の内部の側面側に設けられ内部に電気部品を備える電気部品箱と、取り込んだ空気の温度を検知する温度センサと、電気部品箱の下方に筐体の内部の空間を仕切る仕切り板と、電気部品箱、筐体、及び仕切り板により囲まれて形成される空気滞留部と、を備える。筐体は、側面に、温度センサに送る空気を取り込む空気流入口を有し、温度センサは、空気滞留部の内側に配置され、空気流入口は、空気滞留部に連通している。
2019142352.tif 000002
【特許請求の範囲】
【請求項１】
背面が壁に取り付けられ吸込口および吹出口が形成された筐体と、
前記筐体の内部の側面側に設けられ内部に電気部品を備える電気部品箱と、
取り込んだ空気の温度を検知する温度センサと、
前記電気部品箱の下方に前記筐体の内部の空間を仕切る仕切り板と、
前記電気部品箱、前記筐体、及び前記仕切り板により囲まれて形成される空気滞留部と、を備え、
前記筐体は、
側面に、前記温度センサに送る空気を取り込む空気流入口を有し、
前記温度センサは、
前記空気滞留部の内側に配置され、
前記空気流入口は、
前記空気滞留部に連通している、空気調和機の室内機。
【請求項２】
前記仕切り板は、
前記筐体の背面に平行に設けられ、
前記温度センサは、
前記仕切り板の前方に配置されている、請求項１に記載の空気調和機の室内機。
【請求項３】
前記仕切り板は、
前記電気部品箱と一体に形成されている、請求項１又は２に記載の空気調和機の室内機。
【請求項４】
前記筐体の内部に前記吸込口から前記吹出口に至る主風路に配置された熱交換器及び送風機と、を備え、
前記空気滞留部は、
前記主風路と連通している、請求項１〜３の何れか１項に記載の空気調和機の室内機。
【請求項５】
前記空気滞留部を挟んで前記空気流入口の対面側に、前記主風路に連通する風路が設けられている、請求項４に記載の空気調和機の室内機。
【発明の詳細な説明】
【技術分野】
【０００１】
本発明は、空気調和機の室内機に関し、特に温度センサの配置に関する。
【背景技術】
【０００２】
従来の空気調和機の室内機は、室内の空気の温度を測定するための温度センサを備えている。温度センサは、正しい室温を検知するために、室内機内部に設置されている熱交換器の熱影響が無い位置に配置される。そこで、温度センサを室内機の筐体内部の左右方向の一方の端部に配置し、その端部を覆っている筐体の温度センサと対応する位置に室内空気を導入する通気口を設けている。空気調和機の運転中は、通気口から流れ込む室内の空気の温度を温度センサが検出し、空調制御に使用している。【０００３】
例えば、特許文献１に開示されている空気調和機の室内機によれば、筐体の壁面に、温度センサに対応する外気連通口が形成され、温度センサが、筐体の外気連通口の内側近傍に位置するように設けられているので、筐体の外気連通口を通じて温度センサに外気を接触させることにより、温度センサによって、熱交換器の影響を受けずに室内温度を検出することができる。
【先行技術文献】
【特許文献】
【０００４】
【特許文献１】特開平１１−２３０６０１号公報
【発明の概要】
【発明が解決しようとする課題】
【０００５】
特許文献１に開示されているところでは、空気調和機の室内機の筐体の一方の側面に通気口が開口されている。室内空気の正確な温度を検出するためには、十分な空気量が必要である。そのため、温度センサは、筐体内部であって通気口のすぐ内側に設けられており、他の電気部品が収められている電気品箱の外に設けられている。しかし、温度センサが設けられている空間は、背面側が開放されており、通気口から入った空気が散乱し易いため、温度センサによる温度検知が適正に行われないという課題があった。さらに、温度センサが電気品箱の外に設けられているため、人の指先が触れないように温度センサをカバーで覆う必要があり、温度センサの配置にスペースが多く必要となるという課題があった。【０００６】
本発明は、上記のような課題を解決するためになされたもので、温度センサにより正確な室温検知を行うとともに、使用者が温度センサに容易に触れることのない空気調和機の室内機を提供するものである。
【課題を解決するための手段】
【０００７】
本発明に係る空気調和機の室内機は、背面が壁に取り付けられ吸込口および吹出口が形成された筐体と、前記筐体の内部の側面側に設けられ内部に電気部品を備える電気部品箱と、取り込んだ空気の温度を検知する温度センサと、前記電気部品箱の下方に前記筐体の内部の空間を仕切る仕切り板と、前記電気部品箱、前記筐体、及び前記仕切り板により囲まれて形成される空気滞留部と、を備え、前記筐体は、側面に、前記温度センサに送る空気を取り込む空気流入口を有し、前記温度センサは、前記空気滞留部の内側に配置され、前記空気流入口は、前記空気滞留部に連通している。
【発明の効果】
【０００８】
本発明によれば、空気調和機の運転時に、温度センサ周りの空間に通気口からの空気が滞留しやすくなるため、正確な室内温度を検知することができる。また、温度センサは、周りが囲まれているため、使用者が容易に触れることが出来ない。
【図面の簡単な説明】
【０００９】
【図１】実施の形態１に係る空気調和機の室内機の外観斜視図である。
【図２】実施の形態１に係る空気調和機の冷媒回路図である。
【図３】図１の空気調和機の室内機の分解斜視図である。
【図４】図３のＡ部の拡大図である。
【図５】図３のＢ部の拡大図である。
【図６】実施の形態１に係る空気調和機の室内機の正面図である。
【図７】図６の空気調和機の室内機の側部の内部構造の説明図である。
【図８】図６の空気調和機の室内機の側部の内部構造の説明図である。
【図９】実施の形態１に係る空気調和機の室内機の空気滞留部から送風機に至る風路を示す説明図である。
【発明を実施するための形態】
【００１０】
以下、図面に基づいて本発明の実施の形態について説明する。各図において、同一の符号を付した機器等については、同一の又はこれに相当する機器を表すものであって、これは明細書の全文において共通している。また、明細書全文に表れている構成要素の形態は、あくまで例示であって、本発明は明細書内の記載のみに限定されるものではない。また、図面では各構成部材の大きさの関係が実際のものとは異なる場合がある。
【００１１】
実施の形態１.
＜空気調和機の室内機１００＞
図１は、実施の形態１に係る空気調和機の室内機１００の外観斜視図である。図１に示されるように、室内機１００は、直方体の意匠パネル３０の上面に吸込口１１が配置され、下面に吹出口１２が配置されている。意匠パネル３０の正面は、グリル４０で覆われている。また、意匠パネル３０の上面は、開口が設けられており吸込口１１となっている。意匠パネル３０の背面側は、背面ケーシング２０があり、背面ケーシング２０を室内の壁面に取り付けて室内機１００が設置される。実施の形態１において空気調和機の室内機１００の外観を構成する背面ケーシング２０、意匠パネル３０、及びグリル４０をあわせて筐体と呼ぶ。
【００１２】
図２は、実施の形態１に係る空気調和機の冷媒回路図である。空気調和機は、圧縮機２１０と、冷媒の流れる方向を変える流路切替装置２２０と、室外熱交換器２３０と、膨張装置２４０と、室内熱交換器１１０と、を冷媒配管により接続した冷媒回路を備える。図１に示される室内機１００と室外機２００とは、接続配管３００、４００により接続されている。空気調和機は、流路切替装置２２０を切り替えて冷媒の流れる方向を変えることができる。これにより、空気調和機は、冷房運転及び暖房運転を切り替えることができる。
【００１３】
＜室内機１００を構成する意匠パネル３０の構造＞
図３は、図１の空気調和機の室内機１００の分解斜視図である。図３は筐体を構成する部品のうち、グリル４０及び意匠パネル３０を背面ケーシング２０から外した状態の図である。筐体の内部において、筐体を正面から見て右側の側部に室内機１００を制御する制御装置が内蔵された電気部品箱６０が配置されている。なお、筐体を構成する各部品は、図２に示される構成だけに限定されるものではなく、複数の部品から構成されていてもよい。例えば、意匠パネル３０が複数の部品から構成されていても良い。
【００１４】
＜室内機１００の内部構造＞
図４は、図３のＡ部の拡大図である。図５は、図３のＢ部の拡大図である。図４に示される様に、空気調和機の室内機１００は、意匠パネル３０の側面部に室内の空気を取り込む空気流入口５０を備える。空気流入口５０は、複数のスリットから構成されており、ユーザーが内部の部品に容易に触れることが出来ないように構成されている。図５に示される様に、空気流入口５０が連通する筐体内部の空間には、温度センサ７０が配置されている。
【００１５】
図６は、実施の形態１に係る空気調和機の室内機１００の正面図である。図７及び図８は、図６の空気調和機の室内機１００の側部の内部構造の説明図である。図７は、図６のＺ−Ｚ断面を示しており、図８は、図６のＹ−Ｙ断面を示している。温度センサ７０は、電気部品箱６０の下方に配置されている。また、電気部品箱６０の下方であって、温度センサ７０の背面側には、室内機１００の内部の空間を仕切る仕切り板８０が設けられている。仕切り板８０は、筐体の背面に平行に設けられており、電気部品箱６０の下面から意匠パネル３０の内面の近傍まで伸びている。つまり、室内機１００の内部に電気部品箱６０と、意匠パネル３０と、仕切り板８０とにより囲まれた空間が形成されており、この空間を空気滞留部９０と呼ぶ。空気滞留部９０は、仕切り板８０の前方に形成されている筐体内部の空間であり、空気流入口５０により室内機１００が設置されている室内の空間と連通している。温度センサ７０は、空気滞留部９０の内部に配置されている。そして、温度センサ７０は、空気流入口５０から空気滞留部９０に流れ込んだ室内の空気に触れて、室内の温度を検知する。なお、実施の形態１において、空気滞留部９０は、電気部品箱６０と、意匠パネル３０と、仕切り板８０とにより囲まれて形成されるが、意匠パネル３０の代わりに背面ケーシング２０により形成されていてもよい。すなわち、空気滞留部９０は、電気部品箱６０、筐体、及び仕切り板８０とにより囲まれて形成されていてもよい。
【００１６】
温度センサ７０を熱交換器に隣接して配置しないことにより、温度センサ７０は、熱交換器の熱影響を受けることがない。従って、温度センサ７０は、正しい室温を検知することができる。また、温度センサ７０は、電気部品箱６０の下側の電気部品箱６０に近い場所に配置されている。温度センサ７０により検知された室温は、空調制御に用いられる。そのため、温度センサ７０は、配線により電気部品箱６０内の図示されていない制御装置に接続されている。温度センサ７０と制御装置との間の配線を短くするためには、温度センサ７０は、電気部品箱６０の近傍に配置することが望ましい。また、空気調和機の運転中は、空調制御が行われることにより、制御装置に熱を生じる。よって、電気部品箱６０も空気調和機の運転中に熱を生ずる。電気部品箱６０で生じた熱は、上方向に移動しやすいため、温度センサ７０は、電気部品箱６０の下側に配置することが望ましい。
【００１７】
図９は、実施の形態１に係る空気調和機の室内機１００の空気滞留部９０から送風機１０に至る風路９５を示す説明図である。空気調和機の室内機１００は、筐体の上面に設けられている吸込口１１から筐体の下部に設けられている吹出口１２に至る主風路を有している。主風路には室内熱交換器１１０及び送風機１０が設置され、室内熱交換器１１０で吸込口１１から取り込んだ空気と冷媒との間で熱交換し、調和した空気を吹出口１２から吹き出す。空気滞留部９０と主風路とは筐体の内部で連通しており、主風路に配置された送風機１０により空気滞留部９０にある空気は風路９５を通じて主風路に引き込まれる。実施の形態１において、風路９５の入口部は、電気部品箱６０の下面と意匠パネル３０との間の隙間であり、風路９５に引き込まれた空気滞留部９０の空気が通過する。
【００１８】
空気滞留部９０にある空気が主風路に引き込まれるとともに、室内の空気が空気流入口５０から空気滞留部９０に引き込まれる。空気滞留部９０に引き込まれた空気は、仕切り板８０が設けられていることにより、筐体内部の背面側の空間に散乱することを抑制する。そのため、筐体内部に引き込まれた室内の空気が温度センサ７０に当たる時間が増え、正確な温度検知が可能となる。また、空気滞留部９０が設けられていることにより、温度センサ７０を空気流入口５０から離しても正確な温度検知ができる。さらには、空気滞留部９０が設けられていることにより、温度センサ７０は、空気流入口５０の近傍に設ける必要がないため、カバーで覆う等の構造が必要無くなり、簡易な構造で温度センサ７０を配置できるという利点がある。
【００１９】
空気滞留部９０と主風路とを繋ぐ風路９５の入口部は、空気滞留部９０を挟んで空気流入口５０の対面側に設けられている。風路９５は、電気部品箱６０に沿って上下に伸び、主風路の吸込口１１側に連通している。このように構成されることにより、空気流入口５０から取り込まれた室内の空気は、空気滞留部９０を通り風路９５に流入する。そのため、空気調和機の運転中は空気滞留部９０に設けられた温度センサ７０に常に取り込まれた室内の空気が触れる状態を保つことができる。
【００２０】
また、実施の形態１に係る空気調和機の室内機１００においては、温度センサ７０の背面側に仕切り板８０が設けられているため、使用者が温度センサ７０に容易に触れるのを防止できる。また、仕切り板８０は、電気部品箱６０と一体に設けられているため、仕切り板８０と電気部品箱６０と意匠パネル３０とにより簡易な構造により空気滞留部９０を構成することができる。
【符号の説明】
【００２１】
１０  送風機、１１  吸込口、１２  吹出口、２０  背面ケーシング、３０  意匠パネル、４０  グリル、５０  空気流入口、６０  電気部品箱、７０  温度センサ、８０  仕切り板、９０  空気滞留部、９５  風路、１００  室内機、１１０  室内熱交換器、２００  室外機、２１０  圧縮機、２２０  流路切替装置、２３０  室外熱交換器、２４０  膨張装置、３００  接続配管、４００  接続配管。
【図１】
2019142352.tif 000003
【図２】
2019142352.tif 000004
【図３】
2019142352.tif 000005
【図４】
2019142352.tif 000006
【図５】
2019142352.tif 000007
【図６】
2019142352.tif 000008
【図７】
2019142352.tif 000009
【図８】
2019142352.tif 000010
【図９】
2019142352.tif 000011
【手続補正書】
【提出日】令和2年2月13日(2020.2.13)
【手続補正１】
【補正対象書類名】明細書
【補正対象項目名】０００７
【補正方法】変更
【補正の内容】
【０００７】
本発明の空気調和機の室内機は、背面が壁に取り付けられ吸込口および吹出口が形成された筐体と、前記筐体の内部の側面側に設けられ内部に電気部品を備える電気部品箱と、取り込んだ空気の温度を検知する温度センサと、前記電気部品箱の下方に前記筐体の背面に平行に設けられ、前記筐体の内部の空間を仕切る仕切り板と、前記電気部品箱、前記筐体、及び前記仕切り板により囲まれて形成される空気滞留部と、を備え、前記筐体は、側面に、前記温度センサに送る空気を取り込む空気流入口を有し、前記温度センサは、前記空気滞留部の内側に配置され、前記空気流入口は、前記空気滞留部に連通している。
【手続補正２】
【補正対象書類名】特許請求の範囲
【補正対象項目名】全文
【補正方法】変更
【補正の内容】
【特許請求の範囲】
【請求項１】
背面が壁に取り付けられ吸込口および吹出口が形成された筐体と、
前記筐体の内部の側面側に設けられ内部に電気部品を備える電気部品箱と、
取り込んだ空気の温度を検知する温度センサと、
前記電気部品箱の下方に前記筐体の背面に平行に設けられ、前記筐体の内部の空間を仕切る仕切り板と、
前記電気部品箱、前記筐体、及び前記仕切り板により囲まれて形成される空気滞留部と、を備え、
前記筐体は、
側面に、前記温度センサに送る空気を取り込む空気流入口を有し、
前記温度センサは、
前記空気滞留部の内側に配置され、
前記空気流入口は、
前記空気滞留部に連通している、空気調和機の室内機。
【請求項２】
前記温度センサは、
前記仕切り板の前方に配置されている、請求項１に記載の空気調和機の室内機。
【請求項３】
前記仕切り板は、
前記電気部品箱と一体に形成されている、請求項１又は２に記載の空気調和機の室内機。
【請求項４】
前記筐体の内部に前記吸込口から前記吹出口に至る主風路に配置された熱交換器及び送風機と、を備え、
前記空気滞留部は、
前記主風路と連通している、請求項１〜３の何れか１項に記載の空気調和機の室内機。
【請求項５】
前記空気滞留部を挟んで前記空気流入口の対面側に、前記主風路に連通する風路が設けられている、請求項４に記載の空気調和機の室内機。
【国際調査報告】
2019142352.tif 000012
2019142352.tif 000013
2019142352.tif 000014